(57)【要約】【課題】同軸コネクタ等の、軸線方向に延出する延出部を有するナットが狭い間隔で並列に並んでいる場合であっても、ナットを好適に回転させることが可能なレンチを提供する。【解決手段】同軸コネクタ５０等の、軸線方向に延出する延出部５４を有するナット５２を回転させる作業に適したレンチであって、ナット５２の外周に係合する半筒状の係合部２と、該係合部２から、該係合部２の軸線方向に延びる延長部４と、該延長部４に連結し、該延長部４を介して前記係合部２に回転力を伝達するグリップ部６とを備える。【選択図】　　　　　図１
2004058208.tif 000002
【特許請求の範囲】
【請求項１】
同軸コネクタ等の、軸線方向に延出する延出部を有するナットを回転させる作業に適したレンチであって、
ナットの外周に係合する半筒状の係合部と、
該係合部から、該係合部の軸線方向に延びる延長部と、
該延長部に連結し、該延長部を介して前記係合部に回転力を伝達するグリップ部とを備えることを特徴とするレンチ。
【請求項２】
前記延長部は、前記係合部に連結し、該係合部と同軸の半筒部を有することを特徴とする請求項１記載のレンチ。
【請求項３】
前記延長部は、前記半筒部と連結し、該半筒部と同軸の半柱部を有することを特徴とする請求項２記載のレンチ。
【請求項４】
前記係合部の内周に沿って突出し、ナットの端面に当接して該係合部の軸線方向の移動を規制するストッパ部を備えることを特徴とする請求項１、２または３記載のレンチ。
【請求項５】
前記グリップ部は、前記係合部と同軸の柱形に形成され、ドライバのチャックに係合可能に設けられていることを特徴とする請求項１、２、３または４記載のレンチ。
【発明の詳細な説明】
【０００１】
【発明の属する技術分野】
本発明は、同軸コネクタ等の、軸線方向に延出する延出部を有するナットを回転させる作業に適したレンチに関する。
【０００２】
【従来の技術】
従来、ＳＭＡコネクタやＫコネクタ等の同軸コネクタで、接合部位がナット状に形成されているもの（図７に例を示す）を着脱する際には、例えば図８に示す様な、いわゆる両口レンチ８０の係合部８０ａを、同軸コネクタ５０のナット部５２に係合させて、ナット部５２を回転させて作業を行っている。
【０００３】
【発明が解決しようとする課題】
しかしながら、図９に示す様に、複数の同軸コネクタ５０，５０・・を並列させて接合する場合、同軸コネクタ５０，５０同士の間隔、即ちナット部５２，５２同士の間隔が狭いと、片口または両口レンチ８０の係合部８０ａがナット部５２，５２間に入りにくく、また、片口または両口レンチ８０の柄８０ｂが隣り合うナット部５２に当たって、ナット部５２を回転させることが困難であるという課題がある。
【０００４】
なお、一般に、互いの間隔の狭い並列するナットを回転させる場合には、図１０に示す様なボックスレンチ９０を用いるが、同軸コネクタ５０の様に、軸線方向に延出する延出部（同軸コネクタ５０においてはケーブル５４）を有するナットにおいては、延出部が邪魔となってナットをボックスレンチ９０の係合部９０ａに係合させることができない。
【０００５】
本発明は上記課題を解決すべくなされ、その目的とするところは、同軸コネクタ等の、軸線方向に延出する延出部を有するナットが狭い間隔で並列に並んでいる場合であっても、ナットを好適に回転させることが可能なレンチを提供することにある。
【０００６】
【課題を解決するための手段】
本発明に係るレンチは、上記課題を解決するために、以下の構成を備える。すなわち、同軸コネクタ等の、軸線方向に延出する延出部を有するナットを回転させる作業に適したレンチであって、ナットの外周に係合する半筒状の係合部と、該係合部から、該係合部の軸線方向に延びる延長部と、該延長部に連結し、該延長部を介して前記係合部に回転力を伝達するグリップ部とを備えることを特徴とする。
これによれば、半筒状の係合部を有すると共に、係合部の軸線方向に延びる延長部を介して係合部を回転させることができるため、軸線方向に延出する延出部を有するナットにも好適に係合することができると共に、回転させる際に、回転させるナットに近接するナットに干渉しない。
【０００７】
さらに、前記延長部は、前記係合部に連結し、該係合部と同軸の半筒部を有することを特徴とする。
これによれば、ナットの前記延出部を半筒部内に収めることができ、延長部とナットの延出部とが干渉するのを防ぐことができる。
【０００８】
さらに、前記延長部は、前記半筒部と連結し、該半筒部と同軸の半柱部を有することを特徴とする。
これによれば、ナットの延出部が半柱部の切断面にガイドされて、ナットの延出部と延長部との干渉を小さく抑えることができる。
【０００９】
また、前記係合部の内周に沿って突出し、ナットの端面に当接して該係合部の軸線方向の移動を規制するストッパ部を備えることを特徴とする。
これによれば、ストッパ部がナットの端面に当接して、レンチがナットの軸線方向に深く入るのを防ぐことで、係合部の端面が、ナットが接続される接合部近傍に当接するのを防ぎ、接合部近傍を傷つけることを防止することができる。
【００１０】
また、前記グリップ部は、前記係合部と同軸の柱形に形成され、ドライバのチャックに係合可能に設けられていることを特徴とする。
これによれば、任意のドライバに取り付けることができる。例えばトルクドライバに取り付けることで、ナットを所望のトルクで締め付けることが可能となる。
【００１１】
【発明の実施の形態】
以下、本発明に係るレンチの好適な実施の形態を図面に基づいて詳細に説明する。
図１は、本実施の形態のレンチ１の斜視図である。図２はレンチ１の正面図、図３はレンチ１の底面図、図４はレンチ１の側面図である。
図１において、係合部２は、ほぼ半筒状に形成され、その内周がナットの外周に係合可能に形成される。なお、係合部２は、真の半筒形でなくとも良い。本実施の形態においては、図３に示す様に、円筒の内周の対向する平行な接面２ａ、２ｂによって、円筒を切り欠くことによって係合部２を形成している。こうすると、係合部２は、その断面の外周はＣ字状に、内周はＵ字状に形成される。
【００１２】
係合部２の一端側には、係合部２の軸線方向に延びる延長部４が形成される。延長部４は、係合部２の一端に連結し、係合部２と同軸の半筒部４ａを有する。半筒部４ａの内周は、係合部２の内周よりも若干大径に形成すると好適である。また、半筒部４ａの端部の内面４ｂは球面状に形成される。
さらに、延長部４は、半筒部４ａに連結し、半筒部４ａと同軸の半柱部４ｃを有する。図４に示す様に、半柱部４ｃの切断面４ｄは、半筒部４ａから離間するに従って半柱部４ｃの軸線から離れるように、軸線に対して傾斜して形成される。
【００１３】
延長部４の端部には、ドライバのチャックに係合可能な、係合部２と同軸の６角柱状に形成され、括れ部６ａが形成されたグリップ部６が設けられる。グリップ部６は、ドライバによって回転されることで、延長部４を介して係合部２に回転力を伝達する。
なお、グリップ部は、必ずしもドライバのチャックに係合可能に設けられたものに限定されない。例えば、係合部２と同軸の柄を設けて手動によって回転できるよう設けても良い。また、柄は、例えば延長部４から、延長部４の軸線に直交する方向に突出する突出部に設けてもよい。
【００１４】
係合部２の延長部４と連結する側の端部の内周には、その内周に沿って突出するストッパ部２ｃが設けられる。
ストッパ部２ｃは、ナットの端面に当接してレンチ１のナット軸線方向の移動を規制することで、係合部２がナットの軸線方向に深く入って、係合部２の端面が同軸コネクタ５０が接続される接合部近傍に当接して、接合部近傍を傷つけることを防止する。
【００１５】
本実施の形態のレンチ１によれば、係合部２が半筒状に形成されているため、同軸コネクタ５０の様に軸線方向に延出する延出部（ケーブル）５４を有するナット部５２の、軸線に直交する方向から、係合部２をナット５２に接近させて、係合部２をナット５２係合させることができる。
また、係合部２から、係合部２の軸線方向に延びる延長部４（半筒部４ａ）を有し、係合部２の一端面が延長部４（半筒部４ａ）によって補強されるため、係合部２の周壁を肉薄に形成することができる。そのため、図５に示す様に、複数の同軸コネクタ５０，５０・・を、狭い間隔で並列させて接合する場合でも、係合部２が隣接するナット部５２に干渉することを防ぐことができる。また、従来の片口レンチまたは両口レンチ８０の様に、係合部８０ａの周壁から突出する柄８０ｂがないため、ナット部５２を連続的に回転させることができる。
【００１６】
図６に、ナット部５２の軸線方向に延出する延出部としてのケーブル５４を有する同軸コネクタ５０のナット部５２に、レンチ１の係合部２を係合させた状態を示す。
本実施の形態のレンチ１によれば、係合部２をナット部５２に係合させるとき、係合部２から、係合部２の軸線方向、即ち係合部２に係合されたナット部５２の軸線方向に延びる半筒部４ａを有するため、ケーブル５４が半筒部４ａ内に収容され、レンチ１がケーブル５４に干渉することがない。
さらに、延長部４には、半柱部４ｃが設けられているため、ケーブル５４は半柱部４ｃの切断面４ｄにガイドされて急激に折れ曲がることなく、延長部４との干渉を小さく抑えることができる。
【００１７】
また、本実施の形態のレンチ１によれば、図６に示す様に、ナット部５２と係合する際、ストッパ部２ｃがナット部５２の端面に当接して、レンチ１のナット部５２の軸線方向の移動を規制し、係合部２の端面が同軸コネクタ５０が接続される接合部６０の近傍６２に当接するのを防ぎ、接合部近傍６２を傷つけることを防止する。
【００１８】
また、グリップ部６により、レンチ１をドライバのチャックに取り付けることができる。レンチ１を例えばトルクドライバに取り付けることで、ナットを所望のトルクで締め付けることが可能となる。
【００１９】
【発明の効果】
本発明に係るレンチによれば、同軸コネクタ等の、軸線方向に延出する延出部を有するナットが狭い間隔で並列に並んでいる場合であっても、ナットを好適に回転させることが可能であるという効果を奏する。
【図面の簡単な説明】
【図１】本発明に係るレンチの斜視図である。
【図２】本発明に係るレンチの正面図である。
【図３】本発明に係るレンチの底面図である。
【図４】本発明に係るレンチの側面図である。
【図５】互いの間隔が狭く配置されたナットに対して本発明に係るレンチを用いた状態を示す説明図である。
【図６】本発明に係るレンチがナットに係合している状態を示す図である。
【図７】同軸コネクタを示す図である。
【図８】従来の両口レンチを示す図である。
【図９】互いの間隔が狭く配置されたナットに対して従来の両口レンチを用いた状態を示す説明図である。
【図１０】従来のボックスレンチを示す図である。
【符号の説明】
１　レンチ
２　係合部
２ｃ　ストッパ部
４　延長部
４ａ　半筒部
４ｃ　半柱部
４ｄ　切断面
６　グリップ部
５０　同軸コネクタ
５２　ナット部
５４　ケーブル
【図１】
2004058208.tif 000003
【図２】
2004058208.tif 000004
【図３】
2004058208.tif 000005
【図４】
2004058208.tif 000006
【図５】
2004058208.tif 000007
【図６】
2004058208.tif 000008
【図７】
2004058208.tif 000009
【図８】
2004058208.tif 000010
【図９】
2004058208.tif 000011
【図１０】
2004058208.tif 000012